(57)【特許請求の範囲】
【請求項１】
両端に配置される２つの板状導体と、
この２つの板状導体の間を接続し且つ長さが固定された電線と、
らせん状に形成され、前記電線の周囲を覆うらせん状のバネである導体とを具備し、
前記２つの板状導体は、内側部分において、前記電線及び前記らせん状導体が取り付けられ、外側の部分が他の機器と接続するための部分となることを特徴とする導体。
【請求項２】
前記らせん状のバネである導体は、引っ張り力を有する請求項１に記載の導体。
【請求項３】
前記電線の長さは、前記らせん状のバネである導体の両端間の距離より長い請求項２に記載の導体。
【請求項４】
ケーブルヘッド容器に収納されたケーブルヘッドにつながる導体と計器用変圧器との間を、請求項１ないし３のいずれか１項に記載の導体を使用して接続したことを特徴とするガス絶縁開閉装置。
【発明の詳細な説明】
【０００１】
【発明の属する技術分野】
本発明は、高電圧が印加される２点間を接続するための導体、及び、この導体を使用したガス絶縁開閉装置に関する。
【０００２】
【従来の技術】
図１及び図２を用いて、高電圧が印加される場所で使用される導体の従来例について説明する。
図１は、従来のガス絶縁開閉装置（以下、「ＧＩＳ」という。）の側面断面図である。図２は、図１のＧＩＳの単線接続図である。
【０００３】
図示のＧＩＳは、母線容器１、遮断器容器２、ケーブルヘッド容器３、避雷器容器４から構成される。各容器１〜４間は、絶縁スペーサ５，６，７により仕切られて、各容器１〜４は、独立した絶縁ガス（ＳＦ６ガス）空間を構成し、各容器１〜４は母線ＢＵＳ、遮断器ＧＣＢ、ケーブルヘッドＣＨＤ、避雷器ＬＡ、計器用変圧器ＬＰＴ、断路器ＤＳ、接地開閉器ＥＳをそれぞれ収納する。各機器間は、図２の単線接続図に示すように接続される。
【０００４】
避雷器容器４は、更に、上下方向に配置された３つの容器１１，１２，１３から構成される。中間の容器１２に簡易断路器ＤＳと導体１４が配置される。上側の容器１１に計器用変圧器ＬＰＴが収納される。下側の容器１３に避雷器ＬＡが収納される。各容器１１，１２，１３間は、絶縁スペーサ１５，１６により区分される。計器用変圧器ＬＰＴと避雷器ＬＡは、簡易断路器ＤＳにより主回路から切り離される。
【０００５】
【発明が解決しようとする課題】
上記従来のＧＩＳにおいては、ケーブルヘッド容器３と避雷器容器４とが別個に形成されている。また、避雷器容器４は、３つの容器１１〜１３及び３つの絶縁スペーサ８，１５，１６を必要とする。さらに、簡易断路器ＤＳと避雷器ＬＡと計器用変圧器ＬＰＴとの間は、強固な導体により接続される。
【０００６】
このように、従来のＧＩＳにおいては、高電圧が印加されるため、機器間を強固な導体により接続していた。このため、避雷器ＬＡ及び計器用変圧器ＬＰＴをケーブルヘッドＣＨＤと同一容器内に収納することができず、別の容器に収納していた。このため、容器の数、及び容器間を仕切る絶縁スペーサの数が多くなり、ＧＩＳが大型化、重量化し、高コストとなっていた。
【０００７】
本発明は、高電圧が印加される箇所における機器間の接続を行う導体を小型軽量なものとし、この導体を使用するＧＩＳを小型軽量化することを目的とするものである。
【０００８】
【課題を解決するための手段】
本発明は、上記目的を達成するためになされたものである。
本発明の導体は、両端に配置される２つの板状導体と、この２つの板状導体の間を接続する電線と、らせん状に形成され、前記電線の周囲を覆うらせん状導体とを具備し、前記２つの板状導体は、内側部分において、前記電線及び前記らせん状導体が取り付けられ、外側の部分が他の機器と接続するための部分となる。
【０００９】
本発明の導体は、らせん状導体により導体の見掛け上の径が大きくなるので、電界を緩和することができ、高電圧が印加される部分における機器間の接続に使用することができる。また、らせん状導体を使用したことにより、導体をフレキシビリティがあり、かつ、軽量なものとすることができる。
この導体を、ＧＩＳのケーブルヘッド容器に収納されたケーブルヘッドにつながる導体と計器用変圧器との間の接続に使用することにより、ＧＩＳの機器の配置に自由度が得られ、かつ、ＧＩＳ全体を小型軽量化することが可能となる。
【００１０】
【発明の実施の形態】
本発明の実施形態について図を用いて説明する。
図３は、本発明の導体を使用したＧＩＳの側面断面図である。ＧＩＳの単線接続図は図２に示される。
ＧＩＳは、母線容器２１、遮断器容器２２、ケーブルヘッド容器２３から構成される。各母線容器２１と遮断器容器２２の間は、絶縁スペーサ２５により仕切られる。また、遮断器容器２２とケーブルヘッド容器２３は、フランジ２７により結合され、遮断器容器２２側に設けられた絶縁スペーサ２６により仕切られる。各容器２１〜２３は、絶縁スペーサ２５，２６により仕切られて、独立した絶縁ガス（ＳＦ６ガス）空間を構成する。
【００１１】
母線容器２１は、内部に母線ＢＵＳと断路器ＤＳを収納する。遮断器容器２２は、内部に遮断器ＧＣＢと接地開閉器ＥＳを収納する。ケーブルヘッド容器２３は内部にケーブルヘッドＣＨＤと避雷器ＬＡと計器用変圧器ＬＰＴと断路器ＤＳと接地開閉器ＥＳを収納する。これらのＧＩＳ内の各機器は、図２に示した単線接続図に示すように接続される。
【００１２】
避雷器容器２３は１つの容器で構成される。ケーブルヘッドＣＨＤは、容器２３の下部に取り付けられ、断路器ＤＳ及び強固な導体２８を介して、遮断器容器２２側と接続される。避雷器ＬＡは、容器の上蓋２９に取り付けられ、導体２８とは、圧接形接触子３１を介して接続される。計器用変圧器ＬＰＴも上蓋２９に取り付けられ、圧接形接触子３１と導体３２を介して接続される。
【００１３】
図４に、避雷器ＬＡ及び計器用変圧器ＬＰＴと強固な導体２８との接続構造を示す。図４（Ａ）は側面図、（Ｂ）はＡ−Ａ線から見た図である。図５は、圧接形接触子３１の詳細な構造を示す。
避雷器ＬＡの下端に、圧接形接触子３１が取付けられる。圧接形接触子３１は、固定部３１１と、可動部３１２とからなり、可動部３１２は、バネ３１３により、外側（図示下方）へ付勢される。圧接形接触子３１は、避雷器ＬＡの下端に、ボルト３４により取付けられる。圧接形接触子３１の取付けと同時に、導体３２の一端が圧接形接触子３１により避雷器ＬＡの下端に取り付けられる。
【００１４】
避雷器ＬＡと計器用変圧器ＬＰＴは、上蓋２９を取り外すことにより、圧接形接触子３１と強固な導体２８との間の接続が断たれて、外部へ取り出すことができる。また、上蓋２９を容器２３に取り付けることにより、圧接形接触子３１の可動部３１２が強固な導体２８と接触して、電気的に接続される。
導体３２の全体構成は図４（Ｂ）に示されている。導体３２は、両端に配置される２枚の板状導体３２１と、板状導体３２１の間を接続する電線３２２と、らせん状に形成され、前記電線の周囲を覆うらせん状導体３２３とから構成される。
【００１５】
図６に、電線３２２とらせん状導体３２３を分離して示す。電線３２２は、両端に圧着端子３２４が取り付けられる。らせん状導体３２３は、弾性を有する導電材料によりらせん状に形成され、その両端にフック３２５が形成される。図４及び図５に示すように、らせん状導体３２３の内部に電線３２２を収納した状態で、圧着端子３２４とフック３２５を利用して板状導体３２１にボルト３４により取付けられる。
【００１６】
図６に示すように、らせん上導体３２３に力を加えないとき、フック３２５間の距離Ｂは圧着端子３２４間の距離Ａより短く構成される。したがって、導体３２を圧接形接触子３１と端子３３の間に取り付けたとき、らせん状導体３２１が引っ張った状態で取り付けられることとなり、らせん状導体が弛むことを防止することができる。
【００１７】
以上説明した導体３２によれば、導体３２の外形はらせん状導体３２３により大径となるので、高電圧の印加時の電界が緩和される。また、導体３２が取り付けられる避雷器ＬＡと計器用変圧器ＬＰＴの圧接形接触子３１及び端子３３を、ほぼ球状に形成することにより、導体３２の両端の電界も緩和される。したがって、導体３２は、小型軽量でありながら、高電圧が印加される機器間の接続に用いることができる。
【００１８】
また、導体３２が小型軽量化することにより、相互に接続されるケーブルヘッドＣＨＤ、避雷器ＬＡ、計器用変圧器ＬＰＴを集中して配置することができるため、それらを１つの容器２９にまとめて収納することができる。これにより、ＧＩＳの小型軽量化を図ることができる。
【００１９】
【発明の効果】
本発明によれば、高電圧が印加される箇所における機器間の接続を行う導体を、小型、軽量のものとすることができ、これにより、この導体を使用するＧＩＳについても小型、軽量のものとすることができる。
【図面の簡単な説明】
【図１】従来のＧＩＳの側面断面図。
【図２】図１及び図３のＧＩＳの単線接続図。
【図３】本発明の導体を使用したＧＩＳの側面断面図。
【図４】図３における避雷器及び計器用変圧器と導体との接続構造を示す図。
【図５】図４の圧接形接触子の詳細な構造を示す図。
【図６】図３の導体の部品を示す図。
【符号の説明】
１…母線容器
２…遮断器容器
３…ケーブルヘッド容器
４…避雷器容器
５，６，７，８…絶縁スペーサ
１１，１２，１３…容器
１４…導体
１５，１６…絶縁スペーサ
２１…母線容器
２２…遮断器容器
２３…ケーブルヘッド容器
２５，２６…絶縁スペーサ
２７…フランジ
２８…強固な導体
２９…上蓋
３１…圧接形接触子
３１１…固定部
３１２…可動部
３１３…バネ
３２…導体
３２１…板状導体
３２２…電線
３２３…らせん状導体
３３…端子（計器用変圧器の）
３４…ボルト
ＤＳ…断路器
ＥＳ…接地開閉器
ＣＨＤ…ケーブルヘッド
ＢＵＳ…母線
ＧＣＢ…ガス遮断器
ＬＡ…避雷器
ＬＰＴ…計器用変圧器
【図１】
0004239268.tif 000002
【図２】
0004239268.tif 000003
【図３】
0004239268.tif 000004
【図４】
0004239268.tif 000005
【図５】
0004239268.tif 000006
【図６】
0004239268.tif 000007